(57)【要約】【課題】本考案は、未使用時にコンパクトに折り畳むことができ、邪魔にならないだけでなく、ベンチとしてイス代わりにも使用可能な敷き板を提供する。【解決手段】板材２と基台３からなるすのこ板４を1組にしたものを、複数組のすのこ板４を連結ベルト５でつないだ敷き板１において、連結ベルトの位置で折り畳みすることを可能にし、さらに折り畳み時にすのこ板４の基台３同士が当たらない位置に、基台が設置されていることを特徴とすると共に、当該連結ベルトを着脱式にし、敷き板の長さ調節が可能になることを特徴とする敷き板１。【選択図】図１
0003137186.tif 000002
【実用新案登録請求の範囲】
【請求項１】
板材と基台からなるすのこ板を1組にし、複数組の当該すのこ板を連結ベルトでつないだうえ、当該連結ベルトの位置で折り畳みすることを可能にし、さらに折り畳み時にすのこ板の基台同士が当たらない位置に、前記基台が設置されていることを特徴とする敷き板。
【請求項２】
前記複数組のすのこ板をつないでいる連結ベルトを着脱式にし、敷き板の長さ調節が可能になることを特徴とする請求項１記載の敷き板。
【考案の詳細な説明】
【技術分野】
【０００１】
本考案は、折り畳んでコンパクトにすることが出来る使い勝手のよい敷き板に関する。
【背景技術】
【０００２】
収納時にコンパクトになる寝床用敷き板は古来より知られている。
【特許文献１】特開２００６−３３４０７３号公報
【考案の開示】
【考案が解決しようとする課題】
【０００３】
しかしながら、従来の寝床用敷き板は折り畳み時に隙間があり無駄な空間ができてサイズが大きくなり邪魔になるなどの欠点があった。また、サイズ調節ができないため、設置場所が限定されたり、使い勝手の悪い状況で設置せざるを得ないという不便さがあった。
【課題を解決するための手段】
【０００４】
本考案は、板材と基台からなるすのこ板を1組にし、複数組の当該すのこ板を連結ベルトでつないだうえ、当該連結ベルトの位置で折り畳みすることを可能にし、さらに折り畳み時にすのこ板の基台同士が当たらない位置に、前記基台が設置されるようにすることにより、未使用時の収納時のサイズがコンパクトになるよう工夫した敷き板である。
【０００５】
また、前記複数組のすのこ板をつないでいる連結ベルトを着脱式にし、敷き板の長さ調節が可能にした敷き板を提供する。
【考案の効果】
【０００６】
本考案に関わる敷き板は、折り畳みを解いてすのこ板を広げて水平姿勢に展開したときには、寝床用等の敷き板として使用できる。また、未使用時には折り畳むことが出来るのでコンパクトになり、邪魔にならないだけでなく、折り畳んだ状態では上面が水平に出来るのでベンチ代わりのイスとしても使用でき、実用性に優れたものである。
【０００７】
また、連結ベルトを脱着式とし、連結しているすのこ板を取り外すことを可能にすれば、敷き板の長さを調節することで狭い場所での押し入れ用のすのこ板としても使用が可能になり、多機能、多用途での使用が可能である。
【考案を実施するための最良の形態】
【０００８】
図１において、１は敷き板で、２はほぼ等間隔で並べられた板材で、基台３で相互間が連結されており、２枚以上（図１では２枚）の板材２を基台３で連結した組を一つのすのこ板４として構成している。５は各組のすのこ板４を連結する連結ベルトで、図６で示すマジックテープ（登録商標）のような脱着テープ６により、すのこ板４に着脱式に取り付けられている。
【０００９】
図１・図２に示すように、敷き板１を長く繋いで広く使用した時は布団の下に敷く寝床用敷き板となる。
この場合、図７に示すように布団７と共に折り畳むことができ病人等の看護に使うときの様に頻繁に出し入れする必要があるときには便利に使うことが出来る。
【００１０】
敷き板１の板材２を連結している基台３の取付け位置は、図３に示すように１組毎に交互にずらした位置に取り付けられており、相互に当たらない位置に設置されている。この基台３の取り付け位置は、折り畳んだときに相互に当たらない位置に設置されていればよく、図３に示された位置に限定されないことは言うまでもない。基台３の形状も図３に示した長方形に限られることなく、デザイン等を考慮して例えばひし型の様に変形させてもよいことも言うまでもない。
【００１１】
図４は敷き板１の未使用時の折り畳み状態を示しており、連結ベルト５の位置で折り畳みを可能にしている。
【００１２】
前述の様に敷き板１の板材２を連結している基台３は、その取付け位置を、１枚毎にずらして当たらない位置に設置しているので、折り畳み時は図５に示すように、すのこ板４の隙間を無くし無駄な空間が無くなることにより、コンパクトになる敷き板とすることが出来ると共に、上面が水平で板材２自体が基台３で上下で支えられた構造になるので強度にも優れたベンチ代わりのイスとしても使用でき、実用性に優れたものとなる。
【００１３】
この場合、連結ベルト５は、図６の（Ａ）連結ベルト取付け時に示すようにマジックテープ（登録商標）の様な脱着テープ６ですのこ板４に接合されており、図６の（Ｂ）連結ベルト取外し時に示すように連結ベルト５を取り外すことにより、すのこ板４相互間を外すことが可能になり、敷き板１の長さの調節が可能である。
【００１４】
上記の実施例では１枚毎の板材２を基台３でつなぐ構造としたが、これに限られることなく、例えば図８に示したように合成樹脂材で２枚の板材２を一体にしたような構成にしてもよく、また、図９に示すように更に板材２と基台３を一体に成形する等の構造をとっても本考案の目的が達せられることは言うまでもない。
【００１５】
この場合、図１と同様に一体成型のすのこ板を図９に方向を示すように左右逆に交互に並べることにより、折り畳み時に基台同士が当たらないようになる。
【００１６】
また、前述のように、マジックテープ（登録商標）の様な脱着テープで、すのこの長さが調節できることにより、ベビー布団から子供用布団、大人用布団と長期に渡って布団用の敷き板として使用が可能になったり、分割して押入れのすのこ板としての使用や、多数の敷き板を連結させることも可能な為、納屋や倉庫などの広い場所での敷き板としても使用が可能となり、多用途での使用を可能にする実用性の高いものである。
また、前述のように収納時は、上面が水平なので複数の敷き板を積み重ねても安定感があり、多数の敷き板を一箇所に省スペースで保管することが可能である。
【図面の簡単な説明】
【００１７】
【図１】使用時の敷き板の斜視図である。
【図２】使用時の敷き板の正面図である。
【図３】使用時の敷き板の裏面図である。
【図４】折り畳み時の敷き板の斜視図である。
【図５】折り畳み時の敷き板の板材・基台の拡大図である。
【図６】脱着式の連結ベルトの拡大図で（Ａ）は連結ベルト取付け時、            （Ｂ）は連結ベルト取外し時の拡大図である。
【図７】布団と共に折り畳んだ状態の側面図である。
【図８】他の実施例の一例で２枚の板材を一体成型にしたすのこ板である
【図９】更に改良した他の実施例で、板材と基台を一体成型にしたすのこ板である。
【符号の説明】
【００１８】
１    敷き板
２    板材
３    基台
４    すのこ板
５    連結ベルト
６    脱着テープ
７    布団
【図１】
0003137186.tif 000003
【図２】
0003137186.tif 000004
【図３】
0003137186.tif 000005
【図４】
0003137186.tif 000006
【図５】
0003137186.tif 000007
【図６】
0003137186.tif 000008
【図７】
0003137186.tif 000009
【図８】
0003137186.tif 000010
【図９】
0003137186.tif 000011